(57)【要約】【課題】折込用広告紙を揃える手間を簡略化できる折込用広告束紙揃え搬送装置を提供すること。【解決手段】折込用広告束紙揃え搬送装置は、複数の棚部からそれぞれ折込用広告紙を給紙し、各折込広告紙を親紙で挟み込んで折込用広告束を作成する丁合機の前方に設けられている。折込用広告束紙揃え搬送装置は、丁合機の排出口から排出された折込用広告束を積み上げる積上部と、積上部に設けられ、折込用広告束を紙揃えする紙揃え機構と、積上部から折込用広告束を移動させる搬送機構と、を備えて構成されている。【選択図】図１
2014091604.tif 000002
【特許請求の範囲】
【請求項１】
複数の棚部からそれぞれ折込用広告紙を給紙し、各折込広告紙を親紙で挟み込んで折込用広告束を作成する丁合機の前方に設けられ、前記丁合機の排出口から排出された折込用広告束を積み上げる積上部と、
前記積上部に設けられ、前記折込用広告束を紙揃えする紙揃え機構と、
前記積上部から前記折込用広告束を移動させる搬送機構と、を備えたことを特徴とする折込用広告束紙揃え搬送装置。
【請求項２】
筐体と、
折込用広告紙を載せる、前記筐体の内部に設けられた複数の棚部と、
前記筐体の内部に設けられ、前記棚部のそれぞれから折込用広告紙を給紙する給紙機構と、
前記折込用広告紙を親紙で挟み込む挟み機構と、
前記筐体の前面に設けられた折込用広告束の排出口と、
前記排出口の前方に設けられ、前記排出口から排出された折込用広告束を積み上げる積上部と、
前記積上部から前記折込用広告束を移動させる搬送機構と、
前記搬送機構で搬送された折込用広告束が載せられる受台と、
前記受台を上下動させる、前記筐体の側壁に沿って設けられた広告束昇降機構と、を備えて構成したことを特徴とする折込用広告束紙揃え搬送装置付き丁合機。
【請求項３】
筐体と、
折込用広告紙を載せる、前記筐体の内部に設けられた複数の棚部と、
前記筐体の内部に設けられ、前記棚部のそれぞれから折込用広告紙を給紙する給紙機構と、
前記折込用広告紙を親紙で挟み込む挟み機構と、
前記筐体の前面に設けられた折込用広告束の排出口と、
前記筐体の前面に設けられ、前記排出口から排出された折込用広告束を積み上げる積上部と、
前記積上部に設けられ、前記折込用広告束を紙揃えする紙揃え機構と、
前記積上部から前記折込用広告束を移動させる搬送機構と、
前記搬送機構で搬送された前記折込用広告束が載せられる受台と、
前記筐体の近傍に設けられた、前記受台を上下動させる広告束昇降機構と、を備えて構成したことを特徴とする折込用広告束紙揃え搬送装置付き丁合機。
【請求項４】
前記紙揃え機構は、矩形形状に沿って配置された２つの側壁と２つの叩き板とを備え、前記２つの側壁は、互いほぼ直角に配置してあり、
前記２つの叩き板は、前記２つの側壁のそれぞれに対向した位置に設けられ、更に、前記２つの叩き板は、叩き板駆動機構により、それぞれ対向した前記側壁に対して接近、離間する方向に、一方の前記叩き板が接近しているときは他方の前記叩き板が離間するように交互に往復動自在に設けられていることを特徴とする請求項１に記載の折込用広告束紙揃え搬送装置。
【請求項５】
前記紙揃え機構は、矩形形状に沿って配置された２つの側壁と２つの叩き板とを備え、前記２つの側壁は、互いほぼ直角に配置してあり、
前記２つの叩き板は、前記２つの側壁のそれぞれに対向した位置に設けられ、更に、前記２つの叩き板は、叩き板駆動機構により、それぞれ対向した前記側壁に対して接近、離間する方向に、一方の前記叩き板が接近しているときは他方の前記叩き板が離間するように交互に往復動自在に設けられていることを特徴とする請求項３に記載の折込用広告束紙揃え搬送装置付き丁合機。
【請求項６】
前記給紙機構は、各給紙機構が他の給紙機構から独立して給紙動作を可能とするテストモードを備え、前記テストモード時には、前記給紙機構が給紙動作を行っても前記紙揃え機構は作動しないこととしたことを特徴とする請求項３、又は５に記載の折込用広告束紙揃え搬送装置付き丁合機。
【請求項７】
前記紙揃え機構には、前記紙揃え機構の作動を接断させるオンオフスイッチが設けられていることを特徴とする請求項１、又は４に記載の折込用広告束紙揃え搬送装置。
【請求項８】
前記紙揃え機構には、前記紙揃え機構の作動を接断させるオンオフスイッチが設けられていることを特徴とする請求項３、５、６のいずれか１項に記載の折込用広告束紙揃え搬送装置付き丁合機。
【請求項９】
前記紙揃え機構は、前記叩き板駆動機構が停止したとき、２つの前記叩き板のうちの前記搬送機構の搬送方向に沿って設けられた叩き板が、該叩き板に対向した前記側壁に対して離間した位置になることを特徴とする請求項１、４、７のいずれか１項に記載の折込用広告束紙揃え搬送装置。
【請求項１０】
前記紙揃え機構は、前記叩き板駆動機構が停止したとき、２つの前記叩き板のうちの前記搬送機構の搬送方向に沿って設けられた叩き板が、該叩き板に対向した前記側壁に対して離間した位置になることを特徴とする請求項３、５、６、８のいずれか１項に記載の折込用広告束紙揃え搬送装置付き丁合機。
【発明の詳細な説明】
【技術分野】
【０００１】
本発明は、丁合機で作成された折込用広告束の折込用広告紙を揃える折込用広告束紙揃え搬送装置、及び折込用広告束紙揃え搬送装置を装着した折込用広告束紙揃え搬送装置付き丁合機に関する。
【背景技術】
【０００２】
各家庭に配達されている新聞には、複数の広告紙が束ねられた状態で折り込まれている。丁合機は、それら複数の折込用広告紙を束ねた折込用広告束を作成する装置である。
【０００３】
丁合機は、折込用広告紙を載せる複数の棚と、挟み機構とを備え、折込用広告紙を各棚から１枚ずつ給紙して親紙で挟んで、折込用広告束を作成する。丁合機で作成された折込用広告束は、排出口の近傍に設けられた積上部に順次積み上げられる。折込用広告束が積上部に所定の高さまで積み上げられると、丁合機は作動を停止し、作業者が折込用広告束を積上部から取り除くと、折込用広告束の作成を再開する。
【０００４】
又、丁合機には、折込用広告束を移動させ、かつ、上昇させる折込用広告束搬送昇降機構が装着されている場合がある。その場合、折込用広告束がある程度の高さに積上げられると、コンベアが折込用広告束を移動させる。そのため、丁合機は、折込用広告束が積み上げられる都度作業が停止されず、連続して運転がなされる。更に、折込用広告束搬送昇降機構は、コンベアが搬送した折込用広告束を上昇させるので、折込用広告束を取り上げる作業者の負担を軽減することができる。作業者が折込用広告束搬送昇降機構から取り上げた折込用広告束は、新聞に挿入させるまで、所定の載置スペース等に置かれる。
【先行技術文献】
【特許文献】
【０００５】
【特許文献１】特開２０１２−８６９７９号公報
【発明の概要】
【発明が解決しようとする課題】
【０００６】
しかしながら、丁合機は、従来各折込用広告紙を揃える機能を備えていない。そのため、丁合機で作成された折込用広告束は、折込用広告紙がバラバラな状態で束ねられており、各折込用広告紙の端縁が揃っていない。
【０００７】
したがって、作業者が折込用広告束を新聞の間に差し入れる際に扱いにくかったり、又、新聞を開いたとき見栄えが良くないと購読者に感じられるおそれがあった。そこで、作業者は、台などの上で折込用広告束の端部を叩いたり、振動式の揃え機にかけて各折込用広告紙の端縁を揃えていた。
【０００８】
したがって、折込用広告束の折込用広告紙を揃えるために、人手がかかったり、あるいは、折込用広告束を揃える紙揃え機構を店舗に設置する必要があった。
【０００９】
又、折込用広告束搬送昇降機構が装着された丁合機は、受台を上下動させる昇降機構が丁合機の側方に設けられているため、接地スペースが大きくなっていた。又、昇降機構が丁合機の横に設けられた構成では、受台を畳むことができず、小型化が十分になされなかった。
【００１０】
本発明は、前記課題を解決し、作業者の手間を簡略化し、かつ省スペースが図れる折込用広告束紙揃え搬送装置、及び折込用広告束紙揃え搬送装置付き丁合機を提供することを目的とする。
【課題を解決するための手段】
【００１１】
前記の課題を解決するため、折込用広告束紙揃え搬送装置を、次のように構成した。  
複数の棚部からそれぞれ折込用広告紙を給紙し、各折込広告紙を親紙で挟み込んで折込用広告束を作成する丁合機の前方に設けられ、丁合機の排出口から排出された折込用広告束を積み上げる積上部と、積上部に設けられ、折込用広告束を紙揃えする紙揃え機構と、積上部から折込用広告束を移動させる搬送機構と、を備えて構成した。
【００１２】
又、折込用広告束紙揃え搬送装置付き丁合機を、次のように構成した。  
筐体と、折込用広告紙を載せる、筐体内部に設けられた複数の棚部と、筐体内部に設けられ、各棚部から折込用広告紙を給紙する給紙機構と、親紙で挟み込む挟み機構と、筐体の前面に設けられた折込用広告束の排出口と、排出口の前方に設けられ、排出口から排出された折込用広告束を積み上げる積上部と、積上部から折込用広告束を移動させる搬送機構と、搬送機構で搬送された折込用広告束が載せられる受台と、受台を上下動させる、筐体の側壁に沿って設けられた昇降機構と、を備えて構成した。
【００１３】
又、折込用広告束紙揃え搬送装置付き丁合機を、次のように構成した。  
筐体と、折込用広告紙を載せる、筐体内部に設けられた複数の棚部と、筐体内部に設けられ、各棚部から折込用広告紙を給紙する給紙機構と、親紙で挟み込む挟み機構と、筐体の前面に設けられた折込用広告束の排出口と、筐体の前面に設けられ、排出口から排出された折込用広告束を積み上げる積上部と、積上部に設けられ、折込用広告束を紙揃えする紙揃え機構と、積上部から折込用広告束を移動させる搬送機構と、搬送機構で搬送された折込用広告束が載せられる受台と、筐体の近傍に設けられた、受台を上下動させる昇降機構と、を備えて構成した。
【発明の効果】
【００１４】
本発明によれば、接地面積が小さく、省スペースが図れる折込用広告束紙揃え搬送装置付き丁合機を提供できる。又、本発明によれば、折込用広告紙が整えられた状態で、折込用広告束が所定の高さに持ち上げられるので、折込用広告束の折込用広告紙を整える手間を簡略化できる。
【図面の簡単な説明】
【００１５】
【図１】本発明にかかる一実施形態の折込用広告束紙揃え搬送装置を示す斜視図。
【図２】折込用広告束紙揃え搬送装置付き丁合機の全体を示す斜視図。
【図３】折込用広告束紙揃え搬送装置の紙揃え機構を示す斜視図。
【図４】同紙揃え機構を示す斜視図。
【図５】同紙揃え機構を下方から示す底面図。
【図６】同紙揃え機構の側壁を示す斜視図。
【図７】折込用広告束紙揃え搬送装置の搬送機構を示す斜視図。
【図８】折込用広告束紙揃え搬送装置の排紙スプリング昇降機構を示す斜視図。
【図９】折込用広告束紙揃え搬送装置の受台が上昇した状態の折込用広告束紙揃え搬送装置付き丁合機の全体を示す斜視図。
【図１０】折込用広告束紙揃え搬送装置の受台を畳んだ状態の折込用広告束紙揃え搬送装置付き丁合機の全体を示す斜視図。
【図１１】折込用広告束紙揃え搬送装置を外した状態の折込用広告束紙揃え搬送装置付き丁合機の全体を示す斜視図。
【図１２】折込用広告束紙揃え搬送装置の他の例を示す斜視図。
【図１３】他の例の折込用広告束紙揃え搬送装置を備えた折込用広告束紙揃え搬送装置付き丁合機の全体を示す斜視図。
【図１４】他の例の折込用広告束紙揃え搬送装置の受台が上昇した状態の折込用広告束紙揃え搬送装置付き丁合機の全体を示す斜視図。
【発明を実施するための形態】
【００１６】
本発明にかかる一実施形態の折込用広告束紙揃え搬送装置１０、及び折込用広告束紙揃え搬送装置付き丁合機１１について、図１〜図１１の図面を用いて説明する。
【００１７】
図１は、折込用広告束紙揃え搬送装置１０を示す斜視図であり、図２は、折込用広告束紙揃え搬送装置付き丁合機１１の全体を示す斜視図であり、図３は、折込用広告束紙揃え搬送装置１０の紙揃え機構８２を示す斜視図であり、図４は、紙揃え機構８２を示す斜視図であり、図５は、紙揃え機構８２を下方から示す底面図であり、図６は、紙揃え機構８２の移動式側壁保持部１０２を示す斜視図であり、図７は、折込用広告束紙揃え搬送装置１０の搬送機構８４を示す斜視図であり、図８は、折込用広告束紙揃え搬送装置１０の排紙スプリング昇降機構８６を示す斜視図であり、図９は、折込用広告束紙揃え搬送装置１０の受台１８０が上昇した状態の折込用広告束紙揃え搬送装置付き丁合機１１の全体を示す斜視図であり、図１０は、折込用広告束紙揃え搬送装置１０の受台１８０を畳んだ状態の折込用広告束紙揃え搬送装置付き丁合機１１の全体を示す斜視図であり、図１１は、折込用広告束紙揃え搬送装置１０を外した状態の折込用広告束紙揃え搬送装置付き丁合機１１の全体を示す斜視図である。
【００１８】
折込用広告束紙揃え搬送装置１０を、図１に示す。折込用広告束紙揃え搬送装置付き丁合機１１を、図２に示す。折込用広告束紙揃え搬送装置付き丁合機１１は、丁合機本体１２と、折込用広告束搬送昇降機構１４とを備えている。折込用広告束紙揃え搬送装置１０は、折込用広告束搬送昇降機構１４に設けられている。
【００１９】
まず、丁合機本体１２について説明する。丁合機本体１２は、縦長形状の筐体１６と、筐体１６の内部に設けられた棚部１８と、各棚部１８に設けられた給紙機構２０と、筐体１６の内部に設けられた搬送路２２と、折込用広告紙の束を親紙で挟む挟み機構２４と、折込用広告束を排出する排出口２６と、主制御装置３０と、副制御装置３１と、入出力機構としてのモニタ３２と、主電動機とを備えている。以下、図１の矢印Ａの示す方向を丁合機本体１２の前方とし、それを基準に丁合機本体１２の後方と左右を定める。又、重力の方向を丁合機本体１２の下方とし、その逆を上方として説明する。
【００２０】
筐体１６は、直方体で、前後面に開放部３６が形成されている。棚部１８は、前後の開放部３６に設けられている。棚部１８は、折込用広告紙を載置する広さを有している。棚部１８は、開放部３６の内側に縦方向に並べて複数設けられている。丁合機本体１２の前面側の最下段には、親紙をセットする棚部１８ａが設けられている。
【００２１】
給紙機構２０は、ローラ２８を備えている。ローラ２８は、所定の圧力で折込用広告紙を押圧し、主電動機の駆動力で折込用広告紙を搬送路２２に給紙する。ローラ２８には、後述する圧力調整ダイヤル５６が連結され、折込用広告紙を押圧する圧力が調整可能となっている。
【００２２】
搬送路２２は、筐体１６の中心部分に、縦に設けられている。搬送路２２には、搬送用ローラが設けられている。前後両面の各棚部１８から給紙された折込用広告紙は、主電動機の駆動力により回転する搬送用ローラで搬送路２２内を下方に搬送される。搬送路２２の下端に、挟み機構２４が設けられている。
【００２３】
挟み機構２４は、親紙を載せる棚部１８ａに連結している。挟み機構２４は、搬送路２２を通ってきた折込用広告紙の下方に親紙を配置させ、折込用広告紙の束を親紙で挟み込む。親紙は、折込用広告紙である。
【００２４】
排出口２６は、丁合機本体１２の前面に設けられている。排出口２６には、折込用広告束を排出する排出機構３８が設けられている。排出機構３８には、排出用電動機が接続してあり、排出用電動機により折込用広告束が排出口２６から排出される。排出口２６の前方には、折込用広告束紙揃え搬送装置１０が設けられている。
【００２５】
又、排出口２６には、排紙スプリング４４が設けられている。排出口２６から排出された折込用広告束が、折込用広告束紙揃え搬送装置１０の積上部４２に積み上げられると、排紙スプリング４４は、排出口２６から排出されて積上部４２に積み上げられた折込用広告束の積み上げ高さを検出して、その値を主制御装置３０に送り出す。
【００２６】
モニタ３２は、例えば、液晶表示装置で、主制御装置３０から送られる画像信号により、所定の表示を画面に形成する。又、モニタ３２は、表示面にタッチパネル式の入力機構を備えている。入力機構は、作業者が画面表面のタッチパネルを操作すると、操作に対応した信号が主制御装置３０に送り出される。これにより、画面上に表示された各種の入力ボタンへの作業者が行った入力操作が、主制御装置３０に送信される。
【００２７】
筐体１６には、棚部スイッチパネル４６が、各棚部１８毎に設けられている。棚部スイッチパネル４６は、図２に示すように、連段ボタン５０と、第１給紙ボタン５２と、第２給紙ボタン５４と、圧力調整ダイヤル５６とが設けられている。
【００２８】
連段ボタン５０は、連段ボタン５０が押されると、連段ボタン５０が押された棚部１８とその棚部１８の一段上の棚部１８との作動を連係させる。すなわち、作業者がある棚部１８の連段ボタン５０を押すと、主制御装置３０は、上の棚部１８の折込用広告紙がなくなった時点で、その下の棚部１８の作動を開始させ、折込用広告紙の給紙を上の棚部１８から下の棚部１８へと連続させる。
【００２９】
第１給紙ボタン５２及び第２給紙ボタン５４は、棚部１８における給紙動作の設定する入力ボタンである。作業者が、第１給紙ボタン５２と第２給紙ボタン５４とのいずれかを押下すると、主制御装置３０は、その棚部１８に折込用広告紙の給紙を行わせる。
【００３０】
主制御装置３０は、作業者により第２給紙ボタン５４が押下されると、その棚部１８の給紙動作に誤動作が発生した場合、その棚部１８での給紙動作を停止させる。一方、作業者により第１給紙ボタン５２が押下された場合、主制御装置３０は、棚部１８での給紙に誤動作が発生したときでも、給紙動作を停止させず、給紙動作を継続させる。
【００３１】
圧力調整ダイヤル５６は、各給紙機構２０に設けられたローラ２８の押圧機構に連結されている。作業者が、圧力調整ダイヤル５６をいずれかの方向に回転させると、ローラ２８が折込用広告紙を押圧する押圧力が増減される。
【００３２】
筐体１６には、又、前後面の側方にそれぞれ第１スイッチパネル６０が設けられている。第１スイッチパネル６０には、スタートストップボタン６２と、テストボタン６４と、排出ボタン６６とが設けられている。
【００３３】
スタートストップボタン６２は、丁合機本体１２を給紙動作のオンオフを切り替える。作業者がスタートストップボタン６２を押下すると、主制御装置３０は、丁合機本体１２を給紙動作に設定したり、あるいはその設定を解除したりする。テストボタン６４は、丁合機本体１２をテストモードに設定する。テストボタン６４が作業者に押下されると、主制御装置３０は、丁合機本体１２をテストモードに切り替えられる。テストモードは、例えば、給紙動作が不調な給紙機構２０を調べ、調整するモードである。
【００３４】
主制御装置３０は、テストボタン６４が作業者に押下されて丁合機本体１２がテストモードに設定されると、丁合機本体１２の各棚部１８の第１給紙ボタン５２及び第２給紙ボタン５４を一旦オフにする。そして、かかる状態で、棚部スイッチパネル４６の第１給紙ボタン５２、あるいは第２給紙ボタン５４を作業者が押下すると、主制御装置３０は、その棚部１８の給紙機構を作動させる。作業者は、給紙動作が行われている間に、圧力調整ダイヤル５６を操作したりして、その棚部１８における給紙機構２０を調整する。
【００３５】
テストモード中にテストボタン６４が押下されると、主制御装置３０は、テストモードを解除させるとともに、テストボタン６４を最初に押下したときに設定されていた各棚部１８の給紙状態に復帰させる。そして作業者が、スタートストップボタン６２を押下すると、主制御装置３０は、丁合機本体１２の丁合動作を再開させる。
【００３６】
排出ボタン６６は、搬送路２２を一時的に作動させるボタンである。給紙機構が停止している状態で、排出ボタン６６を作業者が押下すると、主制御装置３０は、主電動機を駆動し、所定のクラッチを作動させる。これにより、例えば、搬送路２２に詰まった折込用広告紙が排出口２６から排出される。
【００３７】
丁合機本体１２の第１スイッチパネル６０の下方には、ロックスイッチパネル７０が設けられている。ロックスイッチパネル７０は、ロックボタン７２と、正逆回転スイッチ７４と、排出速度調整ツマミ７６とを備えている。
【００３８】
ロックボタン７２は、丁合機本体１２の作動を停止させるスイッチである。丁合機本体１２の表裏いずれかで、作業者がロックボタン７２を押下すると、主制御装置３０は、給紙動作を開始させるいずれのスイッチの操作も無効とする。すなわち、丁合機本体１２がロック状態に設定されると、主制御装置３０は、ロックボタン７２が押下された面と丁合機本体１２の逆側の面から作業者がスタートストップボタン６２等を押しても、主制御装置３０は、給紙機構２０等の給紙に関連する機構を作動させない。
【００３９】
正逆回転スイッチ７４は、正逆の二方向に作動するシーソー型スイッチである。作業者が、正逆回転スイッチ７４を正回転側に押下すると、主制御装置３０は、丁合機本体１２を給紙動作の進行方向に作動させる。一方、作業者が、正逆回転スイッチ７４を逆回転方向に押下すると、主制御装置３０は、丁合機本体１２を給紙動作の逆転方向に作動させる。
【００４０】
排出速度調整ツマミ７６は、排出用電動機の回転速度を調整するツマミである。作業者が排出速度調整ツマミ７６を操作すると、主制御装置３０は、排出速度調整ツマミ７６の設定値に合わせて、排出用電動機を駆動させ、排出口２６からの折込用広告束の排出速度を変更させる。丁合機本体１２の排出口２６の前方には、折込用広告束紙揃え搬送装置１０を有する折込用広告束搬送昇降機構１４が設置されている。
【００４１】
次に、折込用広告束搬送昇降機構１４について説明する。折込用広告束搬送昇降機構１４は、図２に示すように折込用広告束紙揃え搬送装置１０と、広告束昇降機構８８とを備えて構成されている。折込用広告束紙揃え搬送装置１０は、図２に示すように丁合機本体１２の排出口２６の前方に配置されている。広告束昇降機構８８は、筐体１６に設けられている。尚、図２では、折込用広告束紙揃え搬送装置１０の前面に、カバー１０１が取り付けられている。
【００４２】
折込用広告束紙揃え搬送装置１０を図１に示す。折込用広告束紙揃え搬送装置１０は、図１に示すように積上部４２と、紙揃え機構８２と、搬送機構８４と、排紙スプリング昇降機構８６と、それらを支持する基台９０とを備えている。基台９０と丁合機本体１２とは、結合機構１０３（図１１参照）で脱着可能に連結されている。基台９０には、押し下げ可能な押さえ脚９１が設けられている。押さえ脚９１を押し下げると、基台９０が支持される。
【００４３】
折込用広告束紙揃え搬送装置１０と広告束昇降機構８８とは、制御用信号線により副制御装置３１に接続されており、折込用広告束搬送昇降機構１４は、副制御装置３１から送られる制御信号で制御される。
【００４４】
紙揃え機構８２は、図１に示すように固定側壁９２と、移動式側壁９４と、第１叩き板９６と、第２叩き板９８と、叩き板駆動機構１００とを備えている。特許請求の範囲の側壁は、固定側壁９２と移動式側壁９４であり、叩き板は、第１叩き板９６と第２叩き板９８である。
【００４５】
固定側壁９２は、排出口２６に対向した位置に、図２に示すように、後述する搬送機構８４の搬送方向と平行な状態で、基台９０に固定されている。固定側壁９２には、排紙スプリング昇降機構８６及び移動式側壁９４が取り付けられている。
【００４６】
移動式側壁９４は、図１、図６に示すように移動式側壁保持部１０２に、回動自在に設けられている。移動式側壁９４は、固定側壁９２の広告束昇降機構８８側の端部に、固定側壁９２と直角の位置関係となるように設けられている。
【００４７】
移動式側壁保持部１０２は、ゲート用モータ１０４とばね１０６とを備え、副制御装置３１からの指示に従い、ゲート用モータ１０４を作動させる。ゲート用モータ１０４は、ブレーキ機構付き電動機であり、作動すると、移動式側壁９４を上方に回動させた開放位置で保持する。そして、副制御装置３１が、ゲート用モータ１０４への通電を遮断すると、移動式側壁９４の端部に取り付けられたばね１０６のばね力により、図６に示す閉鎖方向に回動される。すなわち、移動式側壁９４は、ゲート用モータ１０４で強制的に開放されるが、閉鎖時は、ばね１０６のばね力で作動する。
【００４８】
第１叩き板９６は、折込用広告紙が滑りにくい、例えば、発泡ポリエチレンなどからなり、固定側壁９２に対向した位置に、固定側壁９２と平行に設けられている。第１叩き板９６は、図３、図５に示すように、固定側壁９２に対して直角に設けられた２本のレール１１０上に移動自在に設けられている。これにより、第１叩き板９６は、固定側壁９２と平行を保持したまま、固定側壁９２に対して近接、離間する方向に往復動可能に支持されている。
【００４９】
又、レール１１０は、基台９０に対して移動可能に取り付けられた取付基板１１２上に固定されている。これにより、取付基板１１２を所望の位置に設定することにより、第１叩き板９６の往復動作の中間点を所定の位置に設定し、第１叩き板９６と固定側壁９２との基本的な間隔を所望の間隔に設定可能となっている。第１叩き板９６と固定側壁９２との基本的な間隔は、折込用広告紙の幅より若干短い長さが、折込用広告紙を揃える点では好ましい。
【００５０】
第２叩き板９８は、第１叩き板９６と同様の材質からなり、移動式側壁９４に対向した位置に、移動式側壁９４と平行に設けられている。第２叩き板９８は、移動式側壁９４と直角に設けられたレール１１４上に移動自在に設けられている。これにより、第２叩き板９８は、移動式側壁９４と平行を保持した状態で、移動式側壁９４に対して近接、離間する方向に往復動可能に支持されている。
【００５１】
叩き板駆動機構１００は、図３、図４に示すように叩き板駆動モータ１２０と、伝達機構１２２と、第１リンク機構１２４と、第２リンク機構１２６とを備えている。叩き板駆動モータ１２０は、副制御装置３１からの指示により回転駆動する。伝達機構１２２は、プーリ１３０とゴムベルト１３２とを有し、叩き板駆動モータ１２０に連結している。プーリ１３０は、第１リンク機構１２４と、第２リンク機構１２６にそれぞれ設けられ、それぞれのプーリ１３０にゴムベルト１３２が架け渡されている。
【００５２】
第１リンク機構１２４は、図４に示すように、プーリ１３０に連結した回転板１３４と、回転板１３４に一端が取り付けられた第１リンク片１３８とを有している。第１リンク片１３８は、一端が回転板１３４に偏心した状態で取り付けてあり、他端は、第１叩き板９６に取り付けられている。
【００５３】
第２リンク機構１２６は、プーリ１３０に連結した回転板１３４と、回転板１３４に一端が取り付けられた第２リンク片１４０とを有している。第２リンク片１４０は、一端が回転板１３４に偏心した状態で取り付けてあり、他端は、第２叩き板９８に取り付けられている。
【００５４】
第１リンク機構１２４と第２リンク機構１２６とは、第１リンク片１３８の他端が折込用広告紙を押圧する側に位置しているときは、第２リンク片１４０の他端は、折込用広告紙から離れる側に位置するように設定されている。図５に、叩き板駆動機構１００を下面側から示す。叩き板駆動モータ１２０が駆動すると、第１叩き板９６と第２叩き板９８とが交互に前後動する。
【００５５】
又、第２リンク機構１２６には、図５に示すように、スプリング１３３が取り付けられている。スプリング１３３は、第２叩き板９８を移動式側壁９４側に、停止時の叩き板駆動モータ１２０のトルクより強い力で付勢している。これにより、叩き板駆動機構１００は、第１叩き板９６が往復動の後方に位置した状態で停止され、後述する搬送機構８４で折込用広告束を搬送する妨げにならない。尚、停止位置を規定するのは、スプリング１３３によらず、例えば副制御装置３１の制御等、その他の手段によってもよい。
【００５６】
又、副制御装置３１は、丁合機本体１２がテストモードに設定されていると、給紙機構２０の調整のために第１給紙ボタン５２が押下されて、折込用広告紙が排出口２６から排出されても、叩き板駆動機構１００を作動させない。尚、叩き板駆動機構１００のオンオフスイッチを別途設け、叩き板駆動機構１００の作動を作業者による操作でオンオフさせてもよい。
【００５７】
更に、副制御装置３１は、丁合機本体１２の丁合動作開始時にも所定時間、叩き板駆動機構１００の作動を停止させてもよい。すると、折込用広告紙が重ねて給紙されることが多い、丁合動作開始直後の紙揃えを中止させ、紙揃えによる折込用広告紙の折り曲げ等を防止することができる。
【００５８】
又、叩き板駆動機構１００の作動速度は、１つの折込用広告束に対して２回から５回叩く程度の速度が好ましい。尚、叩き板駆動機構１００の作動速度を変更可能とし、折込用広告束の排出速度に適合させてもよい。
【００５９】
図７に、搬送機構８４を示す。搬送機構８４は、ベルトコンベア式の搬送機構で、無端ベルト１５０とコンベア駆動モータ１５２とを備え、図１に示すように、折込用広告束紙揃え搬送装置１０の内側、すなわち積上部４２に設けられている。搬送機構８４は、副制御装置３１から指示を受けるとコンベア駆動モータ１５２を作動させ、無端ベルト１５０を所定時間周回させる。
【００６０】
図８に、排紙スプリング昇降機構８６を示す。排紙スプリング昇降機構８６は、ソレノイド１６０と、ソレノイド１６０で作動される左右一対の作動腕１６２とを備えている。作動腕１６２には、螺旋状に巻かれた金属線１６４が、作動腕１６２に沿って取り付けられている。
【００６１】
一対の作動腕１６２は、それぞれ連結片１６６により回転支持軸１６８を中心に回動自在に取り付けられている。更に、作動腕１６２は、連結片１６６を介してソレノイド１６０と同期機構１７０とに連結されている。
【００６２】
排紙スプリング昇降機構８６は、ソレノイド１６０が作動すると、一方の作動腕１６２が、回転支持軸１６８を中心に円弧を描くように上方向に移動するとともに、同期機構１７０を通して他方の作動腕１６２が上方に移動する。又、ソレノイド１６０への通電を遮断すると、ばねによる復元力で下方に移動する。これにより一対の作動腕１６２が左右に広がりながら上下方向に往復動し、金属線１６４に排紙スプリング４４がかかり、排紙スプリング４４が上下に移動される。
【００６３】
広告束昇降機構８８は、図２に示すように、受台１８０と、昇降レール１８２とを備えている。受台１８０は、昇降レール１８２に昇降自在に設けられている。昇降レール１８２は、内部に図示しない昇降機を備え、副制御装置３１からの指示により受台１８０を昇降させる。尚、搬送機構８４、排紙スプリング昇降機構８６、及び広告束昇降機構８８は、従来の機構と同様の機構である。
【００６４】
広告束昇降機構８８は、筐体１６の左側面に設けられている。広告束昇降機構８８は、昇降レール１８２と、受台１８０と、受台駆動機構とを備えて構成されている。
【００６５】
昇降レール１８２は、筐体１６の左側面（向かって右側）の前方側に、受台１８０の移動方向を上下方向にして、筐体１６に沿って一体に取り付けられている。
【００６６】
受台１８０は、Ｌ字状で、受板１８６と受板１８６に垂直に連結された縦板１８８とから形成されている。受台１８０は、図１０に示すように、屈曲可能に、昇降レール１８２に取り付けられている。受台１８０は、受台駆動機構に連結されている。
【００６７】
受台駆動機構は、受台駆動モータを備え、丁合機本体１２の内部に設けられている。駆動機構は、受台駆動モータが駆動されると、受台駆動モータの回転力により受台１８０を昇降レール１８２に沿って上下方向に移動させる。
【００６８】
次に、折込用広告束紙揃え搬送装置付き丁合機１１の作動について説明する。作業者が、丁合機本体１２のメインスイッチを操作すると、主制御装置３０が起動し、主電動機が作動する。
【００６９】
作業者は、折込用広告紙を所定の棚部１８に載せる。棚部１８に折込用広告紙を載せたら、作業者は、各棚部１８の第１給紙ボタン５２や第２給紙ボタン５４を押下し、あるいは、モニタ３２の入力画面を操作して、折込用広告紙を給紙する条件を設定する。又、作業者は、各棚部１８の圧力調整ダイヤル５６を適宜調整して、ローラ２８の圧力をそれぞれの折込用広告紙に合わせる。
【００７０】
給紙の設定が終了したなら、作業者は、スタートストップボタン６２を押下する。すると、主制御装置３０は、作業者が第１給紙ボタン５２等で設定した条件に従い、各棚部１８の給紙機構２０を作動させ、各棚部１８から折込用広告紙を順次搬送路２２に給紙する。
【００７１】
各折込用広告紙は、順次所定の時間差で搬送路２２に給紙されるので、下端の端縁がほぼ揃った状態で搬送路２２を下降する。そして、各折込用広告紙の束は、最下段の棚部１８ａから給紙された親紙に突き当たり、２つ折りにされた親紙により挟み込まれる。親紙で挟み込まれた折込用広告紙の束は、排出口２６から折込用広告束として排出される。排出口２６から排出された折込用広告束は、積上部４２に順次積み上げられる。かかる丁合機本体１２の動作は、従来から知られている丁合機の動作とほぼ同様である。
【００７２】
次に、折込用広告束搬送昇降機構１４の作動について説明する。折込用広告束搬送昇降機構１４では、スタートストップボタン６２が操作されると、副制御装置３１により、折込用広告束紙揃え搬送装置１０の叩き板駆動モータ１２０が作動される。尚、叩き板駆動モータ１２０は、スタートストップボタン６２が操作されてから所定時間待って作動させるようにしてもよい。叩き板駆動モータ１２０が駆動すると、ゴムベルト１３２を介して各プーリ１３０が回転し、第１リンク片１３８及び第２リンク片１４０が偏心運動して、第１叩き板９６及び第２叩き板９８がそれぞれ交互に往復動される。
【００７３】
第１叩き板９６及び第２叩き板９８が、第１リンク機構１２４や第２リンク機構１２６の作用により往復動すると、積上部４２に積み上げられた折込用広告束の折込用広告紙が、これら第１叩き板９６と第２叩き板９８とにより交互に叩かれる。第１叩き板９６と第２叩き板９８との作動速度は、１つの折込用広告束に対して、２〜５回程度叩きが行われるのが好ましい。２回より叩き回数が少ないと、紙揃えが不十分になるおそれがあり、５回を越えると騒音や機械的な無理が発生するおそれがある。
【００７４】
このように、折込用広告束紙揃え搬送装置１０では、第１叩き板９６と第２叩き板９８が、折込用広告紙を２方向から叩くので、排出口２６から順次排出される折込用広告束の折込用広告紙が、固定側壁９２と移動式側壁９４の位置に従って徐々に揃えられながら積上げられる。
【００７５】
そして、主制御装置３０は、排紙スプリング４４からの信号により、丁合機本体１２から排出された折込用広告束の数が所定束数に達したと判断すると、丁合機本体１２の作動を停止させ、副制御装置３１にその旨の制御信号を送る。副制御装置３１は、主制御装置３０から、その旨の信号を受けると、折込用広告束紙揃え搬送装置１０の作動を停止させる。折込用広告束紙揃え搬送装置１０は、スプリング１３３のばね力により、第１叩き板９６が、丁合機本体１２側に移動した状態で停止する。
【００７６】
副制御装置３１は、次に、排紙スプリング昇降機構８６と移動式側壁保持部１０２とを作動させる。排紙スプリング昇降機構８６が作動すると、作動腕１６２が左右に広がりながら上方に移動し、排紙スプリング４４を上方に移動させる。又、移動式側壁保持部１０２が作動すると移動式側壁９４がゲート用モータ１０４により回動され、開放位置に移動する。
【００７７】
副制御装置３１は、排紙スプリング４４が上方に移動し、移動式側壁９４が開放位置に移動したことをセンサ等の信号から検出したなら、搬送機構８４を作動させる。搬送機構８４が作動すると、コンベア駆動モータ１５２により無端ベルト１５０が周回して、複数束からなる一揃いの折込用広告束が折込用広告束紙揃え搬送装置１０から広告束昇降機構８８に搬送される。
【００７８】
副制御装置３１は、一揃いの折込用広告束が広告束昇降機構８８に搬送され、受台１８０に載ったことをセンサ等の信号から検出すると、ゲート用モータ１０４と排紙スプリング昇降機構８６への通電を遮断し、移動式側壁９４をばね３８のばね力で閉鎖方向に回動させ、排紙スプリング４４を下げる。又、移動式側壁９４が閉鎖位置に配置されたなら、主制御装置３０は、丁合機本体１２の作動を再開させ、副制御装置３１は、折込用広告束紙揃え搬送装置１０を作動させる。これにより、折込用広告束紙揃え搬送装置１０により紙揃えされた折込用広告束が、積上部４２に積み上げられる。
【００７９】
又、副制御装置３１は、折込用広告束紙揃え搬送装置１０から搬送機構８４で搬送された一揃いの折込用広告束が受台１８０に載せられたことを検出すると、広告束昇降機構８８を作動させ、一揃いの折込用広告束を上昇させる。図９に、受台１８０を上昇させたときの状態を示す。これにより、一揃いの折込用広告束２００が所定の高さに持ち上げられる。
【００８０】
広告束昇降機構８８で一揃いの折込用広告束が上昇されると、作業者は折込用広告束を取り上げ、折込用広告束を載置スペース等に運ぶ。受台１８０から作業者が折込用広告束を取り上げると、副制御装置３１は、受台１８０を下降させる。そして、再度、折込用広告束紙揃え搬送装置１０から一揃いの折込用広告束が広告束昇降機構８８に搬送されてくると、副制御装置３１は上述したと同様に折込用広告束を上昇させる。
【００８１】
仮に、受台１８０から折込用広告束が持ち出されず、かつ折込用広告束紙揃え搬送装置１０に所定の束数の折込用広告束が積み上げられたら、主制御装置３０は、丁合機本体１２を停止させ、副制御装置３１は、折込用広告束搬送昇降機構１４の作動を停止させ、作業者が折込用広告束を取り上げるのを待機する。そして、受台１８０から折込用広告束が作業者により持ち出されたなら、副制御装置３１は、自動的に、あるいは、作業者の入力操作を待って、搬送機構８４や折込用広告束紙揃え搬送装置１０を作動させる。又、主制御装置３０は、丁合機本体１２の作動を再開させる。
【００８２】
一方、丁合機本体１２の丁合作業中に折込広告紙の給紙動作にミスが発生したり、折込広告紙が２枚同時に送り出されてしまうなど、給紙動作に不具合が発生したとする。すると、作業者は、不具合が発生した棚部１８の給紙機構２０を調整する。
【００８３】
次に、棚部１８の給紙機構２０の調整作業について説明する。作業者は、ある棚部１８の給紙動作に不具合が発生していると判断したなら、一度、スタートストップボタン６２を押して動作を停止させ、テストボタン６４を押下する。すると、主制御装置３０は、全ての棚部１８の給紙状態をオフにする。
【００８４】
次に、作業者は、給紙機構２０の調整を行う棚部１８の第１給紙ボタン５２、又は第２給紙ボタン５４を押圧する。すると、第１給紙ボタン５２や第２給紙ボタン５４が押下された棚部１８の給紙機構２０が作動して、その棚部１８からの折込広告紙が給紙される。その際、副制御装置３１は、丁合機本体１２から折込用広告紙が排出されても、折込用広告束紙揃え搬送装置１０を作動させない。そして、圧力調整ダイヤル５６を操作したりして、紙送りの調整が終了したなら、作業者はテストボタン６４を再度押下する。
【００８５】
すると、主制御装置３０は、丁合機本体１２のテストモードの設定を解除する。更に、主制御装置３０は、テストボタン６４がオフからオンに押下されたときに第１給紙ボタン５２等が押下されていたと同じ状態に各棚部１８の状態を戻す。そして、丁合機本体１２と折込用広告束紙揃え搬送装置１０とで丁合作業が再開される。
【００８６】
図１０に、折込用広告束紙揃え搬送装置付き丁合機１１の受台１８０を畳んだ状態を示す。丁合作業が終了したなら、受台１８０を図１０に示すように折り畳むことにより、折込用広告束紙揃え搬送装置付き丁合機１１の接地スペースを縮小させることができる。更に、図１１に示すように、結合機構１０３を操作し、折込用広告束紙揃え搬送装置付き丁合機１１の丁合機本体１２から折込用広告束紙揃え搬送装置１０を取り外してもよい。このように折込用広告束紙揃え搬送装置１０を取り外すと、より接地スペースを縮小し、折込用広告束紙揃え搬送装置付き丁合機１１の移動や保管が容易となる。
【００８７】
以上説明したように、本実施形態の折込用広告束紙揃え搬送装置付き丁合機１１は、次のような効果を備えている。折込用広告束は、積上部４２に積み上げられている状態で、紙揃えがなされるので、搬送機構８４から折込用広告束をすぐに広告束昇降機構８８に移動させることができる。
【００８８】
広告束昇降機構８８で持上げられた折込用広告束は、搬送機構８４内で、折込用広告紙が整えられているので、折込用広告束の中の折込用広告紙を整える手間を簡略化できる。折込用広告束は、折込用広告紙が整えられているので、作業者が折込用広告束を新聞に挿入させるとき、扱い易く、かつ購読者が新聞を開いたときの見栄えを良好にできる。
【００８９】
紙揃え機構８２は、第１叩き板９６を折込用広告束から離した位置で停止するので、搬送機構８４で支障なく折込用広告束を搬送できる。第１叩き板９６等は、折込用広告紙が滑らない材質で形成されているので、確実に折込用広告紙を揃えることができる。テストモードに設定されているときは、紙揃え機構８２が作動しないので、しわにならず、折込用広告紙の無駄を防止できる。第２叩き板９８の往復動中心の位置が変更できるので、紙揃え機構８２は、折込用広告紙の長手方向の長さに、叩き板の位置を適合させることができる。
【００９０】
次に、折込用広告束紙揃え搬送装置付き丁合機の他の例について説明する。
【００９１】
図１２は、他の例の折込用広告束搬送昇降機構１７を示す斜視図であり、図１３は、折込用広告束搬送昇降機構１７を備えた折込用広告束紙揃え搬送装置付き丁合機１５の全体を示す斜視図であり、図１４は、折込用広告束搬送昇降機構１７の受台１８０が上昇した状態の折込用広告束紙揃え搬送装置付き丁合機１５の全体を示す斜視図である。
【００９２】
折込用広告束搬送昇降機構１７は、折込用広告束紙揃え搬送装置１０と広告束昇降機構８９とを備えている。広告束昇降機構８９は、折込用広告束紙揃え搬送装置１０と一体に構成されている。折込用広告束搬送昇降機構１７は、広告束昇降機構８９を含めて、折込用広告束紙揃え搬送装置付き丁合機１５の丁合機本体１３と別体に設けられている。丁合機本体１３は、広告束昇降機構８８が筐体１６に設けられていない点を除いて、丁合機本体１２と同等の構成を有している。
【００９３】
広告束昇降機構８９は、タワー部２１２と、受台１８０とを備えている。タワー部２１２に、昇降レール１８２を備え、受台１８０は、昇降レール１８２に移動自在に取り付けられている。折込用広告束紙揃え搬送装置１０は、前述した構成と同様の構成である。
【００９４】
折込用広告束搬送昇降機構１７をこのように構成すれば、紙揃えされた折込広告束が作成されるとともに、昇降レール１８２を筐体１６に備えていない、従来の丁合機本体１２に装着して紙揃え機構を実施させることができる。
【００９５】
尚、本発明は、前記実施形態に限るものではない。例えば、折込用広告束紙揃え搬送装置１０の紙揃え機構８２は、は、折込用広告紙の端縁を叩き板で叩くのみでなく、折込用広告紙の表裏面に沿った方向や、表裏面と垂直な方向に振幅を有する振動を付加しても、又、折込用広告束に振動のみを付加して折込用広告紙を整えるものでもよい。
【００９６】
又、紙揃え機構８２の操作スイッチを、例えばロックスイッチパネル７０に設けてもよい。すると、折込用広告束紙揃え搬送装置付き丁合機１５がテストモードに設定されると、紙揃え機構８２が副制御装置３１により自動的に作動禁止となるのではなく、紙揃え機構８２の操作スイッチを作業者が操作することにより任意に制御できる。
【産業上の利用可能性】
【００９７】
本発明は、折込用広告束を作成する丁合機に利用できる。
【符号の説明】
【００９８】
１０…折込用広告束紙揃え搬送装置、１１、１５…折込用広告束紙揃え搬送装置付き丁合機、１２…丁合機本体、１４、１７…折込用広告束搬送昇降機構、１６…筐体、１８…棚部、２０…給紙機構、２２…搬送路、２４…挟み機構、２６…排出口、２８…ローラ、３０…主制御装置、３１…副制御装置、３２…モニタ、３６…開放部、３８…排出機構、４２…積上部、４４…排紙スプリング、４６…棚部スイッチパネル、５０…連段ボタン、５２…給紙ボタン、５４…給紙ボタン、５６…圧力調整ダイヤル、６０…スイッチパネル、６２…スタートストップボタン、６４…テストボタン、６６…排出ボタン、７０…ロックスイッチパネル、７２…ロックボタン、７４…正逆回転スイッチ、７６…排出速度調整ツマミ、８２…紙揃え機構、８４…搬送機構、８６…排紙スプリング昇降機構、８８…広告束昇降機構、９０…基台、９２…固定側壁、９４…移動式側壁、９６…第１叩き板、９８…第２叩き板、１００…叩き板駆動機構、１０１…カバー、１０２…移動式側壁保持部、１０３…結合機構、１０４…ゲート用モータ、１１０…レール、１１２…取付基板、１１４…レール、１２０…叩き板駆動モータ、１２２…伝達機構、１２４…第１リンク機構、１２６…第２リンク機構、１３０…プーリ、１３２…ゴムベルト、１３３…スプリング、１３４…回転板、１３８…第１リンク片、１４０…第２リンク片、１５０…無端ベルト、１５２…コンベア駆動モータ、１６０…ソレノイド、１６２…作動腕、１６４…金属線、１６６…連結片、１６８…回転支持軸、１７０…同期機構、１８０…受台、１８２…昇降レール、１８４…スイッチ部、１８６…受板、１８８…縦板、Ａ…矢印。
【図１】
2014091604.tif 000003
【図２】
2014091604.tif 000004
【図３】
2014091604.tif 000005
【図４】
2014091604.tif 000006
【図５】
2014091604.tif 000007
【図６】
2014091604.tif 000008
【図７】
2014091604.tif 000009
【図８】
2014091604.tif 000010
【図９】
2014091604.tif 000011
【図１０】
2014091604.tif 000012
【図１１】
2014091604.tif 000013
【図１２】
2014091604.tif 000014
【図１３】
2014091604.tif 000015
【図１４】
2014091604.tif 000016